(57)【要約】【課題】センサに作用する圧力や温度の種々の解析を容易に行うことができる、判定装置及び判定プログラムを提供する。【解決手段】本発明に係る判定システムは、格子状に配置された複数の圧力検出部及び複数の温度検出部の少なくとも一方を有するセンサと、表示部と、前記センサにおける前記各圧力検出部からの圧力に関する出力値、または前記各温度検出部からの温度に関する出力値を受信する受信部と、前記センサ上に、少なくとも１つの判定エリアを設定する判定エリア設定部と、前記各判定エリアにおける個別の判定条件を、少なくとも１つ設定する判定条件設定部と、前記受信部において受信した前記出力値から、前記各判定エリアの圧力に関する指標または温度に関する指標が、前記判定条件を満たしているか否かの個別の判定結果を算出する判定部と、前記個別の判定結果を前記表示部に表示する結果表示部と、を備えている。【選択図】図８
2018179687.tif 000002
【特許請求の範囲】
【請求項１】
格子状に配置された複数の圧力検出部及び複数の温度検出部の少なくとも一方を有するセンサと、
表示部と、
前記センサにおける前記各圧力検出部からの圧力に関する出力値、または前記各温度検出部からの温度に関する出力値を受信する受信部と、
前記センサ上に、少なくとも１つの判定エリアを設定する判定エリア設定部と、
前記各判定エリアにおける個別の判定条件を、少なくとも１つ設定する判定条件設定部と、
前記受信部において受信した前記出力値から、前記各判定エリアの圧力に関する指標または温度に関する指標が、前記判定条件を満たしているか否かの個別の判定結果を算出する判定部と、
前記個別の判定結果を前記表示部に表示する結果表示部と、
を備えている、判定システム。
【請求項２】
前記表示部には、前記センサを示す判定エリア表示画面が表示され、
前記判定エリア設定部は、前記判定エリアに関する入力を受け付けると、前記判定エリア表示画面に、前記判定エリアを表示する、請求項１に記載の判定システム。
【請求項３】
前記結果表示部は、前記判定エリア表示画面に表示された前記各判定エリアと対応する位置に前記個別の判定結果を表示する、請求項２に記載の判定システム。
【請求項４】
前記判定エリア設定部が、複数の前記判定エリアを設定したとき、
前記判定条件設定部は、前記センサ全体に関する総合の判定条件を設定し、
前記判定部は、前記総合の判定条件に対する総合の判定結果を算出し、
前記結果表示部は、前記総合の判定結果を前記判定エリア表示画面に表示するように構成されている、請求項３に記載の判定システム。
【請求項５】
前記表示部には、前記判定条件を設定するための判定条件設定画面が表示され、
前記判定条件設定画面には、前記各判定エリアを示すリストが表示され、
前記リストに表示された前記判定エリアと、前記判定エリア表示画面に表示された前記判定エリアとが対応するような対応表示を行う、請求項３または４に記載の判定システム。
【請求項６】
前記判定条件設定部は、前記個別の判定条件として、上限値、下限値、所定の基準値に基づく上限値、及び前記基準値に基づく下限値の少なくとも１つを設定可能となっている、請求項１から５のいずれかに記載の判定システム。
【請求項７】
前記判定条件設定部は、前記基準値として、複数の前記判定エリアの圧力に関する指標または温度に関する指標の平均値、中央値、最大値、最小値、合計、範囲の中央のいずれかを設定可能となっている、請求項６に記載の判定システム。
【請求項８】
前記判定条件設定部は、前記各判定エリア毎に、異なる個別の判定条件を設定可能に構成されている、請求項１から７のいずれかに記載の判定システム。
【請求項９】
前記判定条件設定部は、前記各判定エリアに、複数の個別の判定条件を設定可能に構成されている、請求項１から８のいずれかに記載の判定システム。
【請求項１０】
格子状に配置された複数の圧力検出部及び複数の温度検出部の少なくとも一方を有するセンサと、表示部と、が接続されたコンピュータに、
前記センサにおける前記各圧力検出部からの圧力に関する出力値、または前記温度検出部からの温度に関する出力値を受信するステップと、
前記センサ上に、少なくとも１つの判定エリアを設定するステップと、
前記各判定エリアにおける個別の判定条件を設定するステップと、
受信した前記出力値から、前記各判定エリアの圧力に関する指標または温度に関する指標が、前記個別の判定条件を満たしているか否かの個別の判定結果を算出するステップと、
前記個別の判定結果を前記表示部に表示するステップと、
を実行させる、判定プログラム。
【請求項１１】
前記表示部に、前記センサを示す判定エリア表示画面を表示するステップと、
前記判定エリアに関する入力を受け付けると、前記判定エリア表示画面に、前記判定エリアを表示するステップと、
をさらに実行させる、請求項１０に記載の判定プログラム。
【請求項１２】
前記判定エリア表示画面に表示された前記各判定エリアと対応する位置に前記個別の判定結果を表示するステップをさらに実行させる、請求項１１に記載の判定プログラム。
【請求項１３】
複数の前記判定エリアが設定されたとき、
前記センサ全体に関する総合の判定条件を設定するステップと、
前記総合の判定条件に対する総合の判定結果を算出するステップと、
前記総合の判定結果を前記判定エリア表示画面に表示するステップと、
をさらに実行させる、請求項１２に記載の判定プログラム。
【請求項１４】
前記判定条件を設定するための判定条件設定画面を表示するステップと、
前記判定条件設定画面には、前記各判定エリアを示すリストを表示するステップと、
前記リストに表示された前記判定エリアと、前記判定エリア表示画面に表示された前記判定エリアとが対応するような対応表示を行うステップと、
をさらに実行させる、請求項１２または１３に記載の判定プログラム。
【請求項１５】
前記個別の判定条件として、上限値、下限値、所定の基準値に基づく上限値、及び前記基準値に基づく下限値の少なくとも１つを設定可能となっている、請求項１０から１４のいずれかに記載の判定プログラム。
【請求項１６】
前記基準値として、複数の前記判定エリアの圧力に関する指標または温度に関する指標の平均値、中央値、最大値、最小値、合計、範囲の中央のいずれかを設定可能となっている、請求項１５に記載の判定プログラム。
【請求項１７】
前記各判定エリア毎に、異なる個別の判定条件を設定可能に構成されている、請求項１０から１６のいずれかに記載の判定プログラム。
【請求項１８】
前記各判定エリアに、複数の個別の判定条件を設定可能に構成されている、請求項１０から１７のいずれかに記載の判定プログラム。
【発明の詳細な説明】
【技術分野】
【０００１】
本発明は、圧力または温度が所定の判定条件を満たしているか否かを判定する判定システム及び判定プログラムに関する。
【背景技術】
【０００２】
従来より、圧力や温度を検出する種々の装置が提案されている。例えば、特許文献１には、センサに作用する荷重を検知し、この荷重に対する評価をディスプレイに表示するように構成されている。
【先行技術文献】
【特許文献】
【０００３】
【特許文献１】国際特許公開２０１４／０４５４９７号公報
【発明の概要】
【発明が解決しようとする課題】
【０００４】
しかしながら、上記センサでは、センサ上に作用する荷重全体を評価できるにすぎない。したがって、例えば、荷重が均等に作用しているか否かなどの複雑な評価を行うことはできなかった。また、このような問題は圧力の測定のみならず、温度の測定においても同様に起こり得る問題である。そこで、本発明は、この問題を解決するためになされたものであり、センサに作用する圧力や温度の種々の解析を容易に行うことができる、判定装置及び判定プログラムを提供することを目的とする。
【課題を解決するための手段】
【０００５】
本発明者らは、前記課題を解決すべく鋭意検討を行った。その結果、下記に掲げる態様の発明を提供する。
【０００６】
項１：格子状に配置された複数の圧力検出部及び複数の温度検出部の少なくとも一方を有するセンサと、
表示部と、
前記センサにおける前記各圧力検出部からの圧力に関する出力値、または前記各温度検出部からの温度に関する出力値を受信する受信部と、
前記センサ上に、少なくとも１つの判定エリアを設定する判定エリア設定部と、
前記各判定エリアにおける個別の判定条件を設定する判定条件設定部と、
前記受信部において受信した前記出力値から、前記各判定エリアの圧力に関する指標または温度に関する指標が、前記判定条件を満たしているか否かの個別の判定結果を算出する判定部と、
前記個別の判定結果を前記表示部に表示する結果表示部と、
を備えている、判定システム。
【０００７】
項２：前記表示部には、前記センサを示す判定エリア表示画面が表示され、
前記判定エリア設定部は、前記判定エリアに関する入力を受け付けると、前記判定エリア表示画面に、前記判定エリアを表示する、項１に記載の判定システム。
【０００８】
項３：前記結果表示部は、前記判定エリア表示画面に表示された前記各判定エリアと対応する位置に前記個別の判定結果を表示する、項２に記載の判定システム。
【０００９】
項４：前記判定エリア設定部が、複数の前記判定エリアを設定したとき、
前記判定条件設定部は、前記センサ全体に関する総合の判定条件を設定し、
前記判定部は、前記総合の判定条件に対する総合の判定結果を算出し、
前記結果表示部は、前記総合の判定結果を前記判定エリア表示画面に表示するように構成されている、項３に記載の判定システム。
【００１０】
項５：前記表示部には、前記判定条件を設定するための判定条件設定画面が表示され、
前記判定条件設定画面には、前記各判定エリアを示すリストが表示され、
前記リストに表示された前記判定エリアと、前記判定エリア表示画面に表示された前記判定エリアとが対応するような対応表示を行う、項３または４に記載の判定システム。
【００１１】
項６：前記判定条件設定部は、前記個別の判定条件として、上限値、下限値、所定の基準値に基づく上限値、及び前記基準値に基づく下限値の少なくとも１つを設定可能となっている、項１から５のいずれかに記載の判定システム。
【００１２】
項７：前記判定条件設定部は、前記基準値として、複数の前記判定エリアの圧力に関する指標または温度に関する指標の平均値、中央値、最大値、最小値、合計、範囲の中央のいずれかを設定可能となっている、項６に記載の判定システム。
【００１３】
項８：前記判定条件設定部は、前記各判定エリア毎に、異なる個別の判定条件を設定可能に構成されている、項１から７のいずれかに記載の判定システム。
【００１４】
項９：前記判定条件設定部は、前記各判定エリアに、複数の個別の判定条件を設定可能に構成されている、項１から８のいずれかに記載の判定システム。
【００１５】
項１０：格子状に配置された複数の圧力検出部及び複数の温度検出部の少なくとも一方を有するセンサと、表示部と、が接続されたコンピュータに、
前記センサにおける前記各圧力検出部からの圧力に関する出力値または前記各温度検出部からの温度に関する出力値を受信するステップと、
前記センサ上に、少なくとも１つの判定エリアを設定するステップと、
前記各判定エリアにおける個別の判定条件を設定するステップと、
受信した前記出力値から、前記各判定エリアの圧力に関する指標または温度に関する指標が、前記個別の判定条件を満たしているか否かの個別の判定結果を算出するステップと、
前記個別の判定結果を前記表示部に表示するステップと、
を実行させる、判定プログラム。
【００１６】
項１１：前記表示部に、前記センサを示す判定エリア表示画面を表示するステップと、
前記判定エリアに関する入力を受け付けると、前記判定エリア表示画面に、前記判定エリアを表示するステップと、
をさらに実行させる、項１０に記載の判定プログラム。
【００１７】
項１２：前記判定エリア表示画面に表示された前記各判定エリアと対応する位置に前記個別の判定結果を表示するステップをさらに実行させる、項１１に記載の判定プログラム。
【００１８】
項１３：複数の前記判定エリアが設定されたとき、
前記センサシート全体に関する総合の判定条件を設定するステップと、
前記総合の判定条件に対する総合の判定結果を算出するステップと、
前記総合の判定結果を前記判定エリア表示画面に表示するステップと、
をさらに実行させる、請求項１２に記載の判定プログラム。
【００１９】
項１４：前記判定条件を設定するための判定条件設定画面を表示するステップと、
前記判定条件設定画面には、前記各判定エリアを示すリストを表示するステップと、
前記リストに表示された前記判定エリアと、前記判定エリア表示画面に表示された前記判定エリアとが対応するような対応表示を行うステップと、
をさらに実行させる、項１２または１３に記載の判定プログラム。
【００２０】
項１５：前記個別の判定条件として、上限値、下限値、所定の基準値に基づく上限値、及び前記基準値に基づく下限値の少なくとも１つを設定可能となっている、項１０から１４のいずれかに記載の判定プログラム。
【００２１】
項１６：前記基準値として、複数の前記判定エリアの圧力に関する指標または温度に関する指標の平均値、中央値、最大値、最小値、合計、範囲の中央のいずれかを設定可能となっている、項１５に記載の判定プログラム。
【００２２】
項１７：前記各判定エリア毎に、異なる個別の判定条件を設定可能に構成されている、項１０から１６のいずれかに記載の判定プログラム。
【００２３】
項１８：前記各判定エリアに、複数の個別の判定条件を設定可能に構成されている、項１０から１７のいずれかに記載の判定プログラム。
【発明の効果】
【００２４】
本発明によれば、センサに作用する圧力や温度の種々の解析を容易に行うことができる。
【図面の簡単な説明】
【００２５】
【図１】圧力判定システムの斜視図である。
【図２】圧力センサの分解斜視図である。
【図３】圧力センサの断面図である。
【図４】圧力センサにおいて感圧部材の交差部分における平面図である。
【図５】図１の圧力センサの製造方法の概略図である。
【図６】本実施形態に係る判定装置を示すブロック図である。
【図７】本実施形態に係る判定装置の機能構成の一例を模式的に例示する。
【図８】圧力表示ウインドゥの一例を示す図である。
【図９】個別判定の設定ウインドゥの一例を示す図である。
【図１０】統計判定の設定ウインドゥの一例を示す図である。
【図１１】個別判定のフローチャートである。
【図１２】個別判定の設定ウインドゥの一例を示す図である。
【図１３】圧力表示ウインドゥの一例を示す図である。
【図１４】圧力表示ウインドゥの一例を示す図である。
【図１５】個別判定の設定ウインドゥの一例を示す図である。
【図１６】圧力表示ウインドゥの一例を示す図である。
【図１７】圧力表示ウインドゥの一例を示す図である。
【図１８】統計判定の設定ウインドゥの一例を示す図である。
【図１９】圧力表示ウインドゥの一例を示す図である。
【図２０】温度センサの分解斜視図である。
【図２１】温度センサの一部斜視図である。
【図２２】温度センサにおいて感温部材の交差部分における平面図である。
【発明を実施するための形態】
【００２６】
Ａ．第１実施形態（圧力判定システム）
以下、本発明に係る判定システムを圧力判定システムに適用した第１実施形態について説明する。図１はこの圧力判定システムの斜視図である。図１に示すように、本実施形態に係る圧力判定システムは、圧力を検出する圧力センサ１００と、圧力センサで検出された圧力が所定の判定条件を満たしているか否かを判定する判定装置２００と、を備えている。以下、各構成について詳細に説明する。
【００２７】
＜１．圧力センサ＞
＜１−１．圧力センサの概要＞
本実施形態による圧力センサは、圧力の大小に応じて抵抗値などの電磁気的特性が変化する複数の感圧部材が二次元的に格子状に配列されたものである。具体的には、以下のように構成されている。
【００２８】
図２は圧力センサの分解斜視図、図３は圧力センサの断面図、図４は圧力センサにおいて感圧部材の交差部分における平面図である。図２〜図４に示すように、圧力センサ１００は、第１フィルム基材１と、この第１フィルム基材１の上に設けられる複数の第１電極２と、各第１電極上にそれぞれ配置された複数の第１感圧部材３と、を有する第１シート１０を備えている。さらに、この圧力センサは、第２フィルム基材４と、この第２フィルム基材４の上に設けられた複数の第２電極５と、各第２電極上にそれぞれ配置された複数の第２感圧部材６と、を有する第２シート２０を備えている。そして、これら第１シート１０と第２シート２０とが、分離可能に重ね合わされることで、圧力センサが構成されている。以下、これらの部材について、詳細に説明する。
【００２９】
まず、第１シート１０について説明する。上述した複数の第１電極２は線状に形成されており、これらがＸ方向に平行に、第１フィルム基材１上に配置されている。また、上述した複数の第１感圧部材３も線状に形成されており、これら第１感圧部材３は、各第１電極２を覆うように配置されている。すなわち、各第１感圧部材３は、第１電極２と同様に、Ｘ方向に平行に配置されている。
【００３０】
次に、第２シートについて説明する。上述した複数の第２電極５は線状に形成されており、これらがＹ方向に平行に、第２フィルム基材４上に配置されている。また、上述した複数の第２感圧部材６も線状に形成されており、これら第２感圧部材６は、各第２電極５を覆うように配置されている。すなわち、各第２感圧部材６は、第２電極５と同様に、Ｙ方向に平行に配置されている。
【００３１】
このように形成された第１シート１０と第２シート２０は、第１感圧部材３と第２感圧部材６とが向き合うように、且つ、第１電極２と第２電極５とが直交するように重ね合わされている。そして、第１電極２と第２電極５とが交差する複数の箇所において、これらの間に配置されている第１感圧部材３及び第２感圧部材６が、圧力検出部７を構成する。すなわち、これら圧力検出部７の一つ一つが圧力を検出するセンサとして機能する。
【００３２】
＜１−２．圧力センサを構成する材料の例＞
第１フィルム基材１を形成する材料は、特には限定されないが、例えば、ポリイミド、ＰＥＴなどの可撓性を有する透明又は不透明の材料によって形成することができる。
【００３３】
各電極２，５を構成する材料としては、例えば、銀箔、銅箔、アルミ箔等の金属箔や、導電性ポリマー等を用いることができるが、これに限定されず、導電率の高い材料を適宜採用することができる。
【００３４】
各感圧部材３，６を構成する材料は、導電性粒子と、樹脂とを含有したものとすることができ、加えられた圧力が増加するにつれてその抵抗値が低下するもののほか、あるいは、加えられた圧力が増加するにつれてその抵抗値が増加するものであってもよい。また、圧力の大小に応じて電荷量又は誘導電流などの抵抗値以外の電磁気的特性が変化するものであってもよい。
【００３５】
導電性粒子としては、導電性を備える粒子であれば特に制限されず、公知の導電性感圧材料に含まれる導電性粒子を用いることができる。導電性粒子の具体例としては、カーボンブラック、グラファイト、カーボンナノチューブ、カーボンナノホーン、カーボンナノファイバー、カーボンナノコイルなどの炭素系粒子（繊維状物も含む）；鉄、ニッケル、銅、アルミニウム、マグネシウム、プラチナ、銀、金、及びこれらの金属のうち少なくとも１種を含む合金などの金属粒子；酸化スズ、酸化亜鉛、ヨウ化銀、ヨウ化銅、チタン酸バリウム、酸化インジウム錫、チタン酸ストロンチウムなどの導電性無機材料粒子などが挙げられる。導電性粒子は、１種類単独で使用してもよいし、２種類以上を組み合わせて使用してもよい。
【００３６】
導電性粒子の粒子径としては、特に制限されないが、好ましくは１μｍ以下、より好ましくは１００ｎｍ以下、さらに好ましくは５０ｎｍ以下が挙げられる。
【００３７】
導電性粒子の含有量は、特に制限されず、所望の電気抵抗値や体積抵抗値となるように設定すればよいが、広い圧力範囲にわたって被検体の圧力を精度高く測定するためには、好ましくは１５質量％未満、より好ましくは２〜９質量％程度が挙げられる。例えば、導電性粒子として、オイルファーネス法で製造された導電性カーボンブラックを用いる場合、同様の観点から、好ましくは１０質量％未満、より好ましくは１〜８質量％程度、さらに好ましくは２〜６質量％程度が挙げられる。また、アセチレン分解法で作製された導電性カーボンブラックを用いる場合であれば、同様の観点から、好ましくは１５質量％未満、より好ましくは４〜１２質量％程度、さらに好ましくは６〜９質量％程度が挙げられる。
【００３８】
感圧部材３，６に含まれる樹脂としては、特に制限されず、公知の導電性感圧材料に含まれる樹脂を用いることができる。樹脂の具体例としては、シリコーン樹脂、ポリイミド樹脂、エポキシ樹脂などの熱硬化性樹脂；ポリアミドイミド樹脂、ポリエーテルイミド樹脂、ポリエチレンテレフタレート樹脂、ポリブチレンテレフタレート樹脂、ポリアミド樹脂、ポリアセタール樹脂、ポリフェニレンサルファイド樹脂、ポリエーテルエーテルケトン樹脂、フッ素樹脂、ポリエステル樹脂などの熱可塑性樹脂が挙げられる。これらの中でも、広い温度範囲にわたって被検体の温度を精度高く測定できる感温素子とする観点からは、シリコーン樹脂、ポリイミド樹脂、エポキシ樹脂、ポリアミドイミド樹脂、ポリエチレンテレフタレート樹脂、ポリエーテルイミド樹脂が好ましく、ポリイミド樹脂、エポキシ樹脂が特に好ましい。ガラス転移温度が２００℃以上の樹脂は、１種類単独で使用してもよいし、２種類以上を組み合わせて使用してもよい。
【００３９】
＜１−３．圧力センサの製造方法の例＞
次に、圧力センサの製造方法について図５を参照しつつ説明する。圧力センサ１００は、例えば、以下のようにして製造される。まず、図５に示すように、第１フィルム基材１の上に複数の第１電極２をスクリーン印刷により形成する。次に、各第１電極２の上に第１感圧部材３をスクリーン印刷により形成する。こうして、第１シート１０が形成される。
【００４０】
一方、第２フィルム基材４の上に複数の第２電極５をスクリーン印刷により形成する。次に、各第２電極５の上に第２感圧部材６をスクリーン印刷により形成する。こうして、第２シート２０が形成される。その後、第１感圧部材３と第２感圧部材６とが直交して対向するように、第１シート１０と第２シート２０とを重ね合わせる。
【００４１】
なお、上記の例では、各電極２，５、各感圧部材３，６を、スクリーン印刷によって形成しているが、これに限定されず、インクジェット印刷や転写式により形成してもよい。また、各電極２，５を、基板配線技術（銅エッチングなど）により配線してもよい。これにより、非常に薄く（例えば０．１ｍｍ）、且つ、柔軟性のある圧力センサ１００を成形することができる。
【００４２】
＜２．判定装置及びディスプレイ＞
次に、本実施形態による判定装置２００について説明する。この判定装置は、判定装置本体３０と、ディスプレイ（表示部）４０と、圧力センサ１００と判定装置本体３０とを接続するコネクタ５０と、入力装置６０と、を有している。
【００４３】
＜２−１．コネクタ＞
コネクタ５０は、圧力センサ１００に取り付けられている。圧力センサ１００の端部領域には、図示しない複数の端子が設けられており、各端子がコネクタ９に設けられた複数の接点のいずれかと電気的に接続される。圧力センサ１００に設けられた複数の圧力検出部７の各々は、対応する端子と配線を介して接続されている。
【００４４】
コネクタ５０は、圧力検出部７における電磁気的特性の変化を出力値として取得する。コネクタ５０には、複数の圧力検出部７に順番に電圧の印加等を行うために、マルチプレクサという電子素子が組み込まれている。
【００４５】
コネクタ５０は、複数の圧力検出部７に順番に電圧を印加することで、複数の圧力検出部７の各々から順番に出力を得る。具体的には、第１電極２と第２電極５のうち、一方をドライブ電極、他方をレシーブ電極とすると、コネクタ５０は、複数のドライブ電極に順番に電圧を印加し、印加された状態で複数のレシーブ電極の抵抗値を順番に測定することにより、それぞれの圧力検出部７の出力を得る。レシーブ電極の抵抗値は、オペアンプで反転増幅し、電圧値として取得する。印加電圧や出力の増幅率を設定することで、出力を任意に増幅することができる。
【００４６】
コネクタ５０は、圧力センサ１００の各圧力検出部７から出力された圧力値（出力値）を示すアナログ信号をデジタル信号に変換して判定装置本体３０へと出力する。
【００４７】
＜２−２．判定装置本体＞
図６は、本実施形態に係る判定装置本体を示すブロック図である。図６に示すように、本実施形態に係る判定装置本体３０は、制御部３１、記憶部３２、外部インタフェース３３、及びドライブ３４が電気的に接続されたコンピュータである。なお、図６では、外部インタフェース３３をそれぞれ、「外部Ｉ／Ｆ」と記載している。
【００４８】
制御部３１は、ＣＰＵ（Central Processing Unit）、ＲＡＭ（Random Access Memory）、ＲＯＭ（Read Only Memory）等を含み、情報処理に応じて各構成要素の制御を行う。記憶部３２は、例えば、ハードディスクドライブ、ソリッドステートドライブ等の補助記憶装置であり、制御部３１で実行される圧力判定プログラム３２１、検出した圧力などに関する圧力データ３２２等を記憶する。
【００４９】
圧力判定プログラム３２１は、上述した圧力センサ１００において検出された圧力が所定の判定条件を満たしているか否かを判定するための処理を判定装置２００に実行させるためのプログラムである。詳細は後述する。
【００５０】
外部インタフェース３３は、ＵＳＢ（Universal Serial Bus）ポート等であり、外部装置と接続するためのインタフェースである。この外部インターフェース３３を介して、上述したコネクタ５０、入力装置６０、及びディスプレイ４０が接続されている。入力装置６０は、例えば、マウス、キーボード等の入力を行うための装置である。なお、プリンタ、スピーカなど、上記以外の外部装置を接続することもできる。また、この判定装置２００をネットワークを介して外部と接続するための通信インタフェースを設けることもできる。この通信インターフェースは、例えば、有線ＬＡＮ（Local Area Network）モジュール、無線ＬＡＮモジュール等であり、ネットワークを介した有線又は無線通信を行うためのインタフェースである。
【００５１】
ドライブ３４は、例えば、ＣＤ（Compact Disk）ドライブ、ＤＶＤ（Digital Versatile Disk）ドライブ等であり、記憶媒体３４１に記憶されたプログラムを読み込むための装置である。ドライブ３４の種類は、記憶媒体３４１の種類に応じて適宜選択されてよい。上記圧力判定プログラム３２１は、この記憶媒体３４１に記憶されていてもよい。
【００５２】
記憶媒体３４１は、コンピュータその他装置、機械等が記録されたプログラム等の情報を読み取り可能なように、このプログラム等の情報を、電気的、磁気的、光学的、機械的又は化学的作用によって蓄積する媒体である。
【００５３】
なお、判定装置本体３０は、提供されるサービス専用に設計された情報処理装置の他、汎用のデスクトップＰＣ（Personal Computer）、タブレットＰＣ等が用いられてもよい。
【００５４】
＜２−３．判定装置の機能的構成＞
次に、図７を参照しつつ、本実施形態に係る判定装置２００の機能構成の一例を説明する。図７は、本実施形態に係る判定装置２００の機能構成の一例を模式的に例示する。
【００５５】
図7に示すように、判定装置本体の制御部３１は、記憶部３２に記憶された圧力判定プログラム３２１をＲＡＭに展開する。そして、制御部３１は、ＲＡＭに展開された圧力判定プログラム３２１をＣＰＵにより解釈及び実行することで、仮想的に受信部３１１、判定エリア設定部３１２、判定条件設定部３１３、判定部３１４、及び結果表示部３１５として動作する。これらについては後述する。
【００５６】
＜２−４．圧力判定に用いられる各種ウインドゥ＞
次に、圧力判定に用いられる各種ウインドゥについて、説明する。ユーザが入力装置６０を介して所定の操作を行うと、制御部３１は、圧力判定プログラム３２１を起動する。これにより、制御部３１は、ディスプレイ４０に、圧力表示ウインドゥ（判定エリア表示画面）６１と設定ウインドゥ（判定条件設定画面）６２、６３とを表示する。以下、これらウインドゥについて説明する。
【００５７】
＜２−４−１．圧力表示ウィンドゥ＞
図８に示すように、圧力表示ウインドウ６１には、圧力センサ１００上に作用する圧力、荷重などが図示される。例えば、作用する圧力等の大きさによって異なる色で、圧力が作用している箇所が表示される。図８の例では、リング状の領域で圧力が作用している。以下、圧力が作用している領域を圧力領域と称することとする。また、この圧力表示ウインドゥ６１には、判定エリアを設定することができる。例えば、図８の例では、リング状の圧力領域の外側を囲む矩形状の第１判定エリア６１１と、このリング状の圧力領域の内側に配置された第２判定エリア６１２と、が設定されている。これらの判定エリア６１１，６１２を区画する枠は着色されているが、この点については、後述する。
【００５８】
こうして、ユーザは、これら判定エリア６１１，６１２毎に圧力等を得ることができる。また、各判定エリア６１１，６１２の右上端部には、判定対象となる数値６１４，６１５と、この数値が判定条件を満たすか否か、つまりＯＫであるか、ＮＧであるかの個別の判定結果６１６，６１７と、が表示さている。判定対象となる数値とは、各判定エリア６１１，６１２において算出された圧力等の出力値である。さらに、この圧力表示ウインドゥ６１の下端部には、全ての判定エリアの結果を考慮した総合判定結果６１９が示されている。具体的には、すべての個別の判定エリアの判定結果６１６，６１７がＯＫであれば、総合判定結果６１９はＯＫとなり、個別の判定エリア６１１，６１２の判定結果６１６，６１７が１つでもＮＧであれば、総合判定結果６１９はＮＧとなるように設定することができる。
【００５９】
上記のような判定エリアは、例えば、マウスなどの入力装置６０によってディスプレイ４０上で設定することができる。制御部は、この入力を受け付けると、入力された判定エリアを記憶部に記憶する。このとき、上記のような矩形状の判定エリアだけでなく、楕円、多角形状など、種々の形状の判定エリアを設定することができる。なお、マウス等によって判定エリアをディスプレイ４０上で指定するのみならず、キーボード等の入力装置６０によって判定エリアの外形を示す座標を入力することで、判定エリアの設定を行うことができる。例えば、矩形状の判定エリアを設定する場合には、４隅の座標を入力すればよい。また、円形の判定エリアを設定する場合には、中心座標と半径の長さを入力することができる。
【００６０】
＜２−４−２．設定ウインドゥ＞
本実施形態においては、圧力等の判定に当たって、２種類の判定方式が設定されている。つまり、個別判定と統計判定である。個別判定は、１つの判定エリアに対して１つの判定条件を設定する判定方式であり、統計判定は複数の判定エリアに亘る判定条件を設定したり、あるいは複数の判定条件を組み合わせることができる判定方式である。そのため、各判定方式に対応する設定ウインドゥが準備されている。以下、各設定ウインドゥについて説明する。
【００６１】
＜２−４−２−１．個別判定ウインドゥ＞
まず、個別判定ウインドゥについて説明する。ここでは、一例として、図８に示す圧力表示ウインドゥの設定のための個別判定ウインドゥについて説明する。すなわち、図８に示す圧力表示ウインドゥには、２つの判定エリアが設定されているが、その設定を行う個別判定ウインドゥについて説明する。図９に示すように、この個別判定ウインドゥ６２には、上から下に並ぶ、判定対象リスト６２１、判定条件入力部６２２、及び基準値入力部６２３が配置されている。判定対象リスト６２１には、圧力表示ウインドゥ６１に規定された２つの判定エリア６１１，６１２が表示されている。各判定エリア６１１，６１２を表す表示の一例として、各判定エリア６１１，６１２を示す色、判定エリアの角部の座標が示されている。各判定エリア６１１，６１２を表す色は、圧力表示ウインドゥ６１で表示された判定エリア６１１，６１２の枠の色に対応している。
【００６２】
判定条件入力部６２２には、判定の種類、上限値、及び下限値が表示されている。判定の種類は、プルダウンメニューにより表示され、ユーザは、そのうちの１つを選択する。なお、判定の種類は特には限定されないが、例えば、荷重値、接触面積、ボックス圧力、接触圧力、ピーク荷重、ピークボックス荷重、及び接触ピーク圧力を設定することができる。これらが本発明の指標に相当する。詳細は、以下の通りである。
【００６３】
１．荷重値は、測定範囲内の荷重が作用しているセルの荷重値の合計である。
２．接触面積は、測定範囲内の荷重が作用しているセルの合計面積の合計である。
３．ボックス圧力は、測定範囲内の全てのセルに作用している圧力値の合計を測定範囲の面積で割った値である。
４．接触圧力は、測定範囲内の荷重が作用しているセルにかけられている圧力値であり、荷重値の合計を荷重が作用しているセルの面積で割った値である。
５．ピーク荷重値は、測定範囲内の最も高い値を示す領域（例えば、２×２個のセルの領域）をピークエリアとしたとき、このピークエリアの荷重値の合計をピーク荷重値とする。荷重が作用しているセルの荷重値の合計である。
６．ピークボックス圧力は、ピークエリアの圧力値である。
７．接触ピーク圧力は、ピークエリアの荷重の作用しているセルに作用している圧力値である。
【００６４】
上限値及び下限値は、いずれか一方、または双方を規定することができる。また、上限値及び下限値については、プルダウンメニューにより、直接指定と、基準値使用のいずれかを選択することができる。直接指定の場合には、上限値及び下限値を示す直接の数値を右側のボックスに入力する。また、単位も指定することができる。直接指定を行った場合には、その数値が上限値または下限値として判定が行われる。
【００６５】
基準値使用の場合には、その下方にある基準値入力部６２３において設定を行う。基準値を使用する場合には、その基準値に対する割合（％）を指定することができ、その数値を右側のボックスに入力する。例えば、上限値を基準値の１２０％に規定することができる。なお、上限値及び下限値を直接指定した場合には、基準値入力部６２３の入力ができないようになっている。
【００６６】
次に、基準値入力部６２３について説明する。基準値入力部６２３では、直接指定及び参照のいずれかを選択する。直接指定した場合には、具体的な数値を入力する。この場合、入力した数値が基準値になり、この基準値を基準として上述した割合が上限値または下限値となる。
【００６７】
参照を選択した場合には、その設定箇所に表示された、基準値の計算方法のリストと、判定エリア６１１，６１２のリストから選択を行う。基準値の計算方法は、プルダウンメニューにより選択可能であり、例えば、平均値、中央値、最大値、最小値、合計、範囲の中央を選択することができる。また、判定対象リスト６２１には、各判定エリア６１１，６１２の表示の左端にチェックボックスが表示されている。例えば、判定の種類として接触面積を選択し、計算方法として平均値を選択し、すべての判定エリア６１１，６１２のチェックボックスにチェックを入れた場合には、選択した判定エリアで算出される接触面積の平均値が基準値になる。
【００６８】
＜２−４−２−２．統計判定ウインドゥ＞
次に、統計判定ウインドゥについて説明する。統計判定ウインドゥも、個別判定ウインドゥと同様に、圧力表示ウインドゥと対応しているため、以下では、図８に示す圧力表示ウインドゥの設定のための統計判定ウインドゥについて説明する。図１０に示すように、この統計判定ウインドゥ６２には、左側に条件表示部６２１が表示され、右側に条件入力部６２２が表示されている。
【００６９】
条件表示部６２１には、現在設定されている条件リスト６２３と、その下方に配置された条件の追加、削除を示すボタン、及び総合判定の結果（ＯＫまたはＮＧ）が示されている。図１０の例では、条件リスト６２３に４つの条件が設定されており、現在、圧力センサ１００に作用している圧力が、各条件を満たしているか否かの結果（ＯＫまたはＮＧ）についても、条件名の右側に示されている。
【００７０】
条件入力部６２２には、条件名６２４、判定の種類６２５、判定対象リスト６２６、判定条件入力部６２７、及び基準値入力部６２８が配置されている。条件表示部６２２の条件リストに示されるいずれかの条件を選択すると、条件入力部６２２には、その条件が表示されるようになっている。図１０の例では、条件１の詳細が示されている。以下、説明する。
【００７１】
まず、判定の種類６２５は、個別判定ウインドゥと同じである。また、判定対象リスト６２６には、各判定エリア６１１，６１２の表示の左端にチェックボックスが表示されてており、判定を行いたいエリアのチェックボックスにチェックを入れるようになっている。そして、判定対象リスト６２６の右側には、判定対象の計算方法が示されており、プルダウンメニューにより選択可能である。すなわち、選択された判定エリア６１１，６１２に対する判定条件の計算方法を選択する。
【００７２】
判定対象の計算方法としては、例えば、個別の値、平均値、中央値、最大値、最小値などを選択可能であるが、これは一例である。例えば、個別の値を選択した場合には、選択した判定エリアでの出力値を直接、判定の基準として用いる。また、平均値を選択した場合には、チェックされた判定エリアでの出力値の平均値を判定の基準として用いる。そして、判定対象の計算方法による算出値が、計算方法のプルダウンメニューの下方に表示される（符号６２６ａ）。
【００７３】
その下方の判定条件入力部６２７、及び基準値入力部６２８は、個別判定ウインドゥ６２と同じであるため、説明を省略する。但し、基準値入力部においては、選択された計算方法の結果が表示される。図１０の例では、計算方法として平均値が選択されているが、その数値が表示される（符号６２８ａ）。
【００７４】
このように、複数の判定条件を設定できることから、すべての判定エリアに同一の条件を設定するほか、各判定エリアに個別に条件を設定することもできる。また、各判定エリアに複数の条件を設定することもできる。
【００７５】
例えば、圧力センサ１００での圧力の分布を確認する場合、次のように設定することができる。すなわち、複数の判定エリアの中の最大圧力、最小圧力、及び平均圧力を算出し、以下の感度誤差が１０％以内であることを判定条件とするとができる。
感度誤差：（最大圧力−最小圧力）／平均圧力／２×１００（％）  （１）
【００７６】
この場合、条件１として、感度誤差の上限を１１０％と規定するとともに、条件２として感度誤差の下限を９０％と規定する。具体的な入力としては、図１０に示すように、条件１においては、判定の種類６２５として、ボックス圧力を選択し、判定の計算方法として最大値を選択する。そして、判定条件入力部６２７において、上限値として基準値を選択し、１１０％の数値を入力する。また、基準値入力部６２８では、参照を選択し、すべての判定エリアをチェックした上で、平均値を選択する。これにより、すべての判定エリアの中の圧力の最大値が、すべての判定エリアの圧力の平均値から１１０％を上限とするような判定基準が設定される。条件２については、判定ウインドゥを省略するが、判定の計算方法として、最小値を選択し、下限値の基準値として９０％の数値を入力するほかは、同じである。こうして、条件１，２を設定することで、上記式（１）に係る判定条件での判定を行うことができる。
【００７７】
＜２−５．圧力判定＞
次に、判定手順について説明する。以下では、まず個別判定について説明した後、統計判定について説明する。
＜２−５−１．個別判定＞
＜２−５−１−１．例１＞
以下、個別判定について、図８、図９、図１１〜図１３を参照しつつ説明する。図１１は個別判定のフローチャート、図１２は個別判定の設定ウインドゥ、図１３は圧力表示ウインドゥの一例を示す図である。ここでは、例として、図８に示すように、リング状に作用する圧力が、正しい位置に作用しているか否かを判定する方法について説明する。
【００７８】
以下、図１１のフローチャートを参照しつつ、適宜、圧力表示ウインドゥ及び設定ウインドゥの図面に基づいて説明する。個別判定に係る圧力判定プログラムを起動すると、制御部３１は、まず、ディスプレイ４０に圧力表示ウインドゥ６１と設定ウインドゥ６２を表示する。次に、ユーザは、圧力表示ウインドゥ６１上に入力装置６０を用いて判定エリアを設定する（ステップＳ１０１）。ここでは、矩形状の２つの判定エリア、つまり第１判定エリア６１１と第２判定エリア６１２を設定する。このとき、制御部３１の判定エリア設定部３１２は、入力された判定エリアの座標等をＲＡＭや記憶部３２に記憶するとともに、圧力表示ウインドゥ６１上に判定エリア６１１，６１２を表示する。
【００７９】
図９に示すように、設定ウインドゥ６２には、判定リストに上述した第１及び第２判定エリアが表示されている。そして、圧力領域が正しい位置にあるか否かの判定を行うには、第１判定エリア６１１においては、圧力が作用していることを判定条件とし、第２判定エリア６１２においては、圧力が作用していないことを判定条件とする。そして、いずれの判定条件も満たす場合に、ＯＫの判定結果を算出するようにする。
【００８０】
そのためには、設定ウインドゥにおいて、次のように設定を行う。まず、図９に示すように、判定リスト６２１の第１判定エリア６１１（リストの上側）を選択し、判定の種類として、接触面積を選択する。次に、上限値として「なし」を選択し、下限値として直接指定を選択する。そして、下限値として、所定の数値を入力する（ここでは、例として「３５０」）。こうして、第１判定エリア６２１では、３５０ｍｍ2以上の接触面積が検出された場合に、ＯＫとの判定がなされるように設定された。
【００８１】
続いて、第２判定エリア６１２の判定条件を設定する。まず、図１２に示すように、判定リスト６２１の第２判定エリア６１２を選択し（リストの下側）、判定の種類として、接触面積を選択する。次に、下限値として「なし」を選択し、上限値として直接指定を選択する。そして、上限値として、所定の数値を入力する（ここでは、例として「５」）。こうして、第２判定エリア６１２では、５ｍｍ2以下の接触面積が検出された場合に、ＯＫとの判定がなされるように設定された。以上より、設定ウインドゥ６２における判定条件の設定が完了する（ステップＳ１０２）。上記のように設定ウインドゥ６２における判定条件の入力の際、制御部３１の判定条件設定部３１３は、入力された判定条件をＲＡＭや記憶部３２に記憶する。
【００８２】
これに続いて、圧力センサ１００に上記のようなリング状の領域に亘って圧力を作用させると、制御部３１の受信部３１１は、圧力センサ１００からコネクタ５０を介して、各圧力検出部７からの出力値を受信し、ＲＡＭや記憶部３２に記憶する（ステップＳ１０３）。そして、この出力値に基づいて、制御部３１の判定部３１４が、上記判定条件を充足するか否かの判定を行う。図８に示す例では、圧力は、第２判定エリア６１２の枠と第１判定エリア６１１の枠の間に作用しているため、制御部の判定部３１４は、第１判定エリア６１１の判定条件に対し、ＯＫの判定結果を算出し、第２判定エリア６１２の判定条件に対しても、ＯＫの判定結果を算出する。また、これらの判定条件に対しＯＫの判定結果が算出されたため、全体の判定結果としてもＯＫの判定結果を算出する（ステップＳ１０４のＹＥＳ）。
【００８３】
そして、この判定結果を受けて、制御部３１の結果表示部３１５は、圧力表示ウインドゥ６１の各判定エリア６１１，６１２の上端部に判定結果としてＯＫの表示６１６，６１７を行うとともに、圧力表示ウインドゥ６１の下端部に、全体の判定結果として、ＯＫの表示６１９を行う（ステップＳ１０５）。
【００８４】
一方、図１３に示すように、圧力が作用した場合、つまり、第１判定エリア６１１の枠の外、及び第２判定エリア６１２の枠の中に圧力が作用している場合に、制御部３１の判定部３１４は、上記判定条件を満たさないため、すべての判定エリアに対してＮＧの判定を行う（ステップＳ１０４のＮＯ）。これを受けて、制御部３１の結果表示部３１５は、圧力表示ウインドゥ６１の各判定エリア６１１，６１２の上端部に判定結果としてＮＧの表示６１６，６１７を行うとともに、圧力表示ウインドゥ６１の下端部に、全体の判定結果として、ＮＧの表示６１９を行う（ステップＳ１０６）。
【００８５】
＜２−５−１−２．例２＞
次に、リング状に作用する圧力が均等に作用しているか否かを判定する方法について、図１４〜図１６を参照しつつ説明する。図１４、図１６は、圧力表示ウインドゥの一例を示す図、図１５は設定ウインドゥの一例を示す図である。
【００８６】
個別判定に係る圧力判定プログラムを起動すると、制御部３１は、ディスプレイ４０に圧力表示ウインドゥ６１と設定ウインドゥ６２を表示する。次に、ユーザは、圧力表示ウインドゥ６１上に入力装置６０を用いて判定エリアを設定する。ここでは、図１４に示すように、矩形状の４つの判定エリア、つまり第１〜第４判定エリア７１０〜７４０を設定する。これらの判定エリア７１０〜７４０は、リング状の圧力領域の上下左右の４箇所に９０度おきに設定されている。そして、４つの判定エリア７１０〜７４０それぞれに作用する圧力が、すべての判定エリア７１０〜７４０の平均値の±２０％の範囲に入っている場合にはＯＫの判定を行い、この範囲外である場合にはＮＧの判定を行うように設定することとする。
【００８７】
図１５に示すように、設定ウインドゥ６２には、判定リスト６２１に上述した第１〜第４判定エリア７１０〜７４０が表示されている。そして、判定リスト６２１に表示されているすべての判定エリア７１０〜７４０を選択した上で、判定条件入力部６２２に入力を行う。まず、判定の種類として、接触圧力を選択する。次に、上限値として、基準値使用を選択し、所定の数値を入力する（ここでは、例として「１２０」）。続いて、下限値として基準値使用を選択し、所定の数値を入力する（ここでは、例として「８０」）。こうして、各判定エリア７１０〜７４０の接触圧力が、基準値の８０％以上１２０％以下である場合に、ＯＫとの判定がなされるように設定された。
【００８８】
続いて、基準値の設定を行う。まず、基準値入力６２３部において、参照を選択し、計算方法として平均値を選択する。次に、判定エリアリストの中のすべての判定エリアにチェックを入れる。これにより、基準値が、すべての判定エリアの接触圧力の平均値となる。以上より、設定ウインドゥ６２における判定条件の設定が完了する。そして、この判定条件の入力の際、制御部３１の判定条件設定部３１３は、入力された判定条件をＲＡＭや記憶部３２に記憶する。
【００８９】
これに続いて、圧力センサ１００に圧力を作用させると、制御部３１の受信部３１１は、各圧力検出部７からの出力値を受信し、図１６に示すように、圧力表示ウインドゥ６１に、圧力センサ１００に作用する圧力を図示する。同時に、制御部３１の判定部３１４は、これら出力値から上記判定条件を充足するか否かの判定を行う。このとき、４つの判定エリア７１０〜７４０の圧力は、それぞれ、それらの平均値の８０％以上１２０％以下であるため、制御部の結果表示部３１５は、各判定エリア７１０〜７４０の右上にＯＫの表示７１１〜７４１を行う。また、すべての判定エリア７１０〜７４０での判定がＯＫであるので、制御部３１の結果表示部３１５は、総合判定として、圧力表示ウインドゥ６１の下端部にＯＫの表示７５０を行う。
【００９０】
一方、図１６に示すように、圧力領域に偏りがあり、４つの判定エリア７１０〜７４０の圧力が、それぞれ、それらの平均値の８０％以上１２０％以下の範囲外である場合には、制御部３１は、各判定エリア７１０〜７４０の右上にはＮＧの表示７１１〜７４１を行う。そして、すべての判定エリア７１０〜７４０での判定がＮＧであるので、制御部３１は、総合判定として、圧力表示ウインドゥ６１の下端部にＮＧの表示７５を行う。
【００９１】
＜２−５−２．統計判定＞
次に、統計判定について、図１７〜図１９を参照しつつ説明する。図１７、図１９は、圧力表示ウインドゥの一例を示す図、図１８は設定ウインドゥの一例を示す図である。ここでは、一例として、図１７に示すように、複数（ここでは、一例として９個）の矩形状の判定エリアを設定し、均一に圧力が作用しているか否かを判定する。
【００９２】
統計判定に係る圧力判定プログラムを起動すると、制御部３１は、まず、ディスプレイ４０に圧力表示ウインドゥ６１と統計判定用の設定ウインドゥ６２を表示する。次に、ユーザは、図１７に示すように、圧力表示ウインドゥ６１上に入力装置６０を用いて矩形状の９つの判定エリア、つまり第１〜第９判定エリア８１０〜８９０を設定する。そして、９つの判定エリア８１０〜８９０それぞれに作用する圧力が、すべての判定エリア８１０〜８９０の平均値の±２０％の範囲に入っている場合にはＯＫの判定を行い、この範囲外である場合にはＮＧの判定を行うように設定することとする。
【００９３】
ここでは、判定条件として条件１を設定する。図１８は、条件１を示す設定ウインドゥで６１あり、判定の種類として接触圧力を選択する。また、判定対象リスト６２６には、第１〜第９判定エリア８１０〜８９０が表示されている。但し、この例では判定エリアの数が多いため、スクロールバーも合わせて表示され、このスクロールバーを操作してすべての判定エリアを判定対象リスト６２６のボックスに表示させる。そして、判定対象リスト６２６のすべての判定エリアにチェックを入れるとともに、計算方法として、平均値を選択する。
【００９４】
次に、上限値として、基準値使用を選択し、所定の数値を入力する（ここでは、一例として「１２０」）。続いて、下限値として基準値使用を選択し、所定の数値を入力する（ここでは、一例として「８０」）。こうして、各判定エリア８１０〜８９０の接触圧力が、基準値の８０％以上１２０％以下である場合に、ＯＫとの判定がなされるように設定された。
【００９５】
続いて、基準値の設定を行う。ここでは、基準値入力部６２８において、直接指定を選択し、所定の数値を入力する（ここでは、一例として「１２８」）。以上より、設定ウインドゥ６２における判定条件の設定が完了する。この他、追加の判定条件があれば、判定表示部において、条件の追加を行う。
【００９６】
これに続いて、圧力センサ１００に圧力を作用させると、制御部３１は、各圧力検出部７からの出力値を受信し、図１７に示すように、圧力表示ウインドゥ６１に、圧力センサ１００に作用する圧力を図示する。同時に、制御部３１は、これら出力値から上記判定条件を充足するか否かの判定を行う。このとき、９つの判定エリアの接触圧力は、それぞれ、それらの平均値の８０％以上１２０％以下であるため、各判定エリア８１０〜８９０の右上にはＯＫの表示８１１〜８９１がなされる。そして、すべての判定エリア８１０〜８９０での判定がＯＫであるので、制御部３１は、総合判定として、圧力表示ウインドゥの下端部にＯＫの表示８００を行う。
【００９７】
一方、図１９に示すように、圧力領域に偏りがあり、９つの判定エリア８１０〜８９０の圧力が、それぞれ、それらの平均値の８０％以上１２０％以下の範囲外である場合には、各判定エリア８１０〜８９０の右上にはＮＧの表示８１１〜８９１がなされる。そして、すべての判定エリア８１０〜８９０での判定がＮＧであるので、制御部３１は、総合判定として、圧力表示ウインドゥ６１の下端部にＮＧの表示８００を行う。
【００９８】
＜３．特徴＞
以上のように、本実施形態によれば、圧力センサ１００上に複数の判定エリアを設定し、各判定エリアに対して判定条件を設定した上で、圧力センサ１００に作用した圧力が判定条件を満たしているかを判定するようにしている。したがって、複数の判定エリアに亘るような複雑な判定条件も容易に設定することができる。そして、その判定結果をディスプレイ４０に表示するようにしているため、ユーザは、ディスプレイ４０を見ただけで、対象となる圧力が判定条件を満たしているか否かを容易に視認することができる。
【００９９】
Ｂ．第２実施形態（温度判定システム）
以下、本発明に係る判定システムを温度判定システムに適用した第２実施形態について説明する。この温度判定システムは、上述した圧力判定システムと同様の構成を有しているため、相違点のみを説明することとし、同一構成には同一符号を付して、説明を省略する。
【０１００】
＜１．温度センサ＞
＜１−１．温度センサの概要＞
【０１０１】
図２０は温度センサの分解斜視図、図２１は温度センサの一部斜視図、図２２は温度センサにおいて感温部材の交差部分における平面図である。図２０〜図２２に示すように、この温度センサ５００は、フィルム基材５１と、このフィルム基材５１の上に設けられる複数の第１電極５２と、各第１電極５２上にそれぞれ配置された複数の感温部材５３と、この感温部材５３と交差するように配置された複数の第２電極５４と、を有するセンサ本体と、このセンサ本体をフィルム基材５１とは反対側から覆う保護フィルム５５とを備えている。保護フィルム５５は必要に応じて設けられるが、フィルム基材５１と同様の材料で形成されている。
【０１０２】
上述した複数の第１電極５２は線状に形成されており、これらがＸ方向に平行に、フィルム基材５１上に配置されている。また、上述した複数の感温部材５３も線状に形成されており、これら感温部材５３は、各第１電極５２を覆うように配置されている。すなわち、各感温部材５３は、第１電極５２と同様に、Ｘ方向に平行に配置されている。
【０１０３】
上述した複数の第２電極５４は線状に形成されており、これらがＹ方向に平行に、フィルム基材５１上に配置されている。したがって、第２電極５４は、第１電極５２に対して概ね直交するように配置される。そして、第１電極５２と第２電極５４とが交差する複数の箇所において、これらの間に配置されている感温部材５３が、温度検出部５０を構成する。すなわち、これら温度検出部５０の一つ一つが温度を検出するセンサとして機能する。なお、感温部材５３は、第１電極５２全体を覆うように配置する以外に、第１電極５２と第２電極５４との交点部分にのみ配置することができる。
【０１０４】
温度検出部５０を所定の温度に保持すると、温度の高低に応じて感温部材５３の電気抵抗が変化する。電気抵抗は温度検出部５０から第１電極５２と第２電極５４とを通じて電源に伝達される。これにより抵抗値が測定される。測定した抵抗値から温度検出部５０が保持されている温度を検出することができる。
【０１０５】
なお、温度検出部５０は、保持される温度が高くなるにつれてその抵抗値が増加するものであるが、保持される温度が高くなるにつれてその抵抗値が低下するものであってもよい。また、温度検出部５０は、温度の高低に応じて電荷量又は誘導電流などの抵抗値以外の電磁気的特性が変化するものであってもよい。
【０１０６】
また、感温部材５３は、感圧部材と同様の材料を用いることができる。その他、フィルム基材５１、電極５２，５４についても、第１実施形態と同様の材料で形成することができる。
【０１０７】
＜２．温度判定装置＞
温度判定装置は、圧力判定装置とほぼ同じ構成である。また、圧力センサシステムと同様に、温度センサ５００からの出力値に基づいて、温度を算出するとともに、上述した圧力表示ウインドゥ及び設定ウインドゥと同様の構成の温度表示ウインドゥ及び温度設定ウインドゥを有しており、温度の判定エリア、判定条件を設定可能である。そして、その判定条件に対する判定結果を温度表示ウインドゥに表示可能である。また、圧力判定システムとの相違は、例えば、判定の種類（指標）であり、温度判定システムでは、主として温度のみが選択可能となる。
【０１０８】
＜３．特徴＞
以上のように、本実施形態によれば、圧力判定システムと同様に、温度センサ５００上に複数の判定エリアを設定し、各判定エリアに対して判定条件を設定した上で、温度センサ５００に作用した温度が判定条件を満たしているかを判定するようにしている。したがって、複数の判定エリアに亘るような複雑な判定条件も容易に設定することができる。そして、その判定結果をディスプレイ４０に表示するようにしているため、ユーザは、ディスプレイ４０を見ただけで、対象となる温度が判定条件を満たしているか否かを容易に視認することができる。
【０１０９】
Ｃ．変形例
以上、本発明の一実施形態について説明したが、本発明は上記実施形態に限定されるものではなく、その趣旨を逸脱しない限りにおいて、種々の変更が可能である。なお、以下の変形例は、適宜組合せが可能である。
【０１１０】
＜１＞
上述した各センサは、一例であり、シート状でなくてもよい。すなわち、格子状に配置された圧力検出部または温度検出部を有し、出力値を判定装置に送信可能なセンサであれば、特には限定されない。また、圧力センサと温度センサとを組み合わせたセンサを用いることもできる。さらに、センサからの出力は、有線のみならず、無線やネットワークを介して判定装置へ送信することもできる。
【０１１１】
＜２＞
圧力表示や設定のウインドゥも一例であり、設定項目のデザインなどは適宜変更可能であり、上述したすべての項目を有する必要はなく、また、他の項目を適宜追加することもできる。また、圧力表示ウインドゥと設定ウインドゥを一体化することもできる。
【０１１２】
＜３＞
上記実施形態において、総合判定は、すべての判定エリアでの判定結果がＯＫのときのみ、ＯＫとしているが、これに限定されない。例えば、複数の判定エリアのいくつの判定結果がＯＫのときにＯＫとしてもよいし、各判定エリアでの結果を考慮して適宜設定することができる。
【符号の説明】
【０１１３】
１００  圧力センサ
１０１  センサシステム
【図１】
2018179687.tif 000003
【図２】
2018179687.tif 000004
【図３】
2018179687.tif 000005
【図４】
2018179687.tif 000006
【図５】
2018179687.tif 000007
【図６】
2018179687.tif 000008
【図７】
2018179687.tif 000009
【図８】
2018179687.tif 000010
【図９】
2018179687.tif 000011
【図１０】
2018179687.tif 000012
【図１１】
2018179687.tif 000013
【図１２】
2018179687.tif 000014
【図１３】
2018179687.tif 000015
【図１４】
2018179687.tif 000016
【図１５】
2018179687.tif 000017
【図１６】
2018179687.tif 000018
【図１７】
2018179687.tif 000019
【図１８】
2018179687.tif 000020
【図１９】
2018179687.tif 000021
【図２０】
2018179687.tif 000022
【図２１】
2018179687.tif 000023
【図２２】
2018179687.tif 000024